(57)【要約】      （修正有）【課題】蝶番及びガイドレール、ガイドローラーのみで安全で確実な左右両方が開閉可能な１枚の扉構造を提供する。【解決手段】保持軸と回転同軸上に保持軸を離脱自在に保持する為のＵ型形状のカム板を持つ蝶番ｃ１〜ｃ４を２個相対組合せ離脱自在とする蝶番機構そのものを扉ｂの左右に配置し、扉の左右とも開閉可能とする扉構造。及び、開閉時に扉の脱落を防止するためのガイドレールｅ１，ｅ２を設けた扉機構。【選択図】図１
0003166351.tif 000002
【実用新案登録請求の範囲】
【請求項１】
保持軸と回転同軸上に保持軸を離脱自在に保持する為のＵ型形状のカム板を持つ蝶番。
【請求項２】
保持軸と回転同軸上に保持軸を離脱自在に保持する為のＵ型形状のカム板を持つ蝶番を２個相対組合せ離脱自在とする蝶番機構。
【請求項３】
保持軸と回転同軸上に保持軸を離脱自在に保持する為のＵ型形状のカム板を持つ蝶番を２個相対組合せ離脱自在とする蝶番機構そのものを扉の左右に配置し、扉の左右とも開閉可能とする扉構造。
【請求項４】
保持軸と回転同軸上に保持軸を離脱自在に保持する為のＵ型形状のカム板を持つ蝶番を２個相対組合せ離脱自在とする蝶番機構そのものを扉の左右に配置し、扉の左右とも開閉可能とする扉構造に於いて、開閉時に扉の脱落を防止するためのガイドレールを設けた扉機構。
【考案の詳細な説明】
【考案の詳細な説明】
【産業上の利用分野】
【０００１】  本考案は両開き扉の蝶番構造に関する。
【背景技術】
【０００２】  従来、１枚扉の両側を開閉させる構造に於いては扉の左右両側にロックバーを扉の回転軸と兼用して配置する機構、又は回転軸として離脱自在なカム式の機構を扉の左右に設ける方法、又は扉の上下にリンク機構を設ける方法等が存在している。
実用新案登録第３１５１８１９号や実用新案登録第３１５１２３４号において提案した両側開き方式の場合、扉の大きさによりリンクの長さを毎回変える必要があり、量産化によるコストダウンが出来ない点、及び扉の開放時に於いてリンクが扉枠に残りこれが使用条件によっては問題となる場合があった。
又、扉の開き初めの動作に於いてはリンクの遊びにより扉が左右同時に開く動作をする為、使用感の悪さとこれを規制する別の機構が必要となっていた。
１枚扉の両側を開閉させる構造に於いて扉の左右両側にロックバーを扉の回転軸と兼用して配置する機構の場合、扉を確実に閉める為にはオートロック機構が必要となるがロックを左右同時に開放すれば扉の脱落事故となり、このオートロックをリンクやワイヤーでコントロールすれば特定の遊びを設けないと片方のロックを操作した場合、反対側のロックをオーバーロードして作動させてしまう為、一定の遊びが必要となる。しかしこの遊びが操作上の不快感となる上、扉が両方確実に閉まっていることを判定した上でのハンドル操作でなければ扉の脱落事故という重大な結果となってしまう。勿論これらを解決することは可能ではあるがその為のコストは多大なものとなってしまう。
又、冷蔵庫に見られるカムロック機構に於いては確実な動作をする反面、複雑な機構となる上、あくまで扉と扉枠に組み込まれている為、一般の産業への応用は特許権利を除外しても困難なものとなっている。
本考案における提案は扉の左右開きを標準化した低コストな蝶番とガイドレールによってのみ成立させ、安全で確実な動作を実現し、誰でも簡単に製作可能とすることを目的とする。
【考案が解決しようとする課題】
【０００３】  １枚扉の両側を開閉させる構造に於いて、ロックバー式やカム式、リンク式等の従来技術では一般ユーザーが設計製作するのは困難である。本考案により従来技術よりもはるかに簡単で場合によっては蝶番だけでも成立しうる構造を実現させようとするものである。
同時にロックバー式やカム式、リンク方式等いずれの方法も扉左右の上下のみに回転中心を持つ構造であり扉左右中央部での保持ができない為、扉の強度を必要以上に設定する必要があった。しかし本考案では扉左右の中央部であっても自由に複数の蝶番を取付できる為、強度的制限を不要としている。
本考案の蝶番は扉の外側、内側のいずれも取付が可能な為、既存の扉に対し改造等の後付け工作さえも可能とするものである。
又、重量の大きな扉であってもその脱落事故を防止する為の複雑なコントロールの一切を不要とし、単に蝶番とガイドレールのみで安全で確実な動作を提供するものである。
【課題を解決するための手段】
【０００４】  上記目的を達成する為に、本願請求項１の考案は保持軸に対しＵ型形状のカム板を相対させることから始まる。
この状態では保持軸はＵ型形状のカム板によって回転動作とＵ型の逃げ溝の一方向のみが規制される。しかし蝶番の回転動作に伴い、Ｕ型の逃げ溝の向きが変移すればそれに伴い離脱する方向も変移する。
そこで一つの蝶番に保持軸と回転同軸上に保持軸を離脱自在に保持する為のＵ型形状のカム板を配置することにより、常に離脱を一方向のみに規制することを目的とする蝶番構造となる。
本願請求項２の考案はこの蝶番を２個相対組合せ離脱方向を一方向に規制することを具体的な目的とする使用方法である。
本願請求項３の考案は蝶番機構そのものを扉の左右に配置し、扉の左右とも開閉可能とする扉構造であり、扉の左側を開閉する場合は扉を右へスライドさせてから行い、扉の右側を開閉する場合は扉を左へスライドさせてから行うものである。
本願請求項４の考案は扉の開閉時、特に扉枠に近い状態では蝶番の遊びにより脱落の危険がある為これを防止するためのガイドレールを設けた扉機構である。
【考案を実施するための形態】
【０００５】  以下本考案にかかわる両開き扉の蝶番構造の実施の形態を図面に従って説明する。
【０００６】  図１に於いて、この状態は扉の閉状態における外観を示し、扉ｂは扉枠ａに対し蝶番ｃ１、ｃ２、ｃ３、ｃ４によって保持されている。
又、扉枠ａの下方左右にガイドレールｅ１、ｅ２を設け、扉ｂの下方左右に設けたガイドローラーｄ１、ｄ２によってその動作を一部制限する扉構造となっている。
【０００７】  図２に於いて、この状態は扉ｂが左側の蝶番ｃ１、ｃ２を回転中心として開放され、同時に右ガイドレールｅ２と右ガイドローラーｄ２によって回転軌跡を制限している状態を示している。
【０００８】  図３に於いて、この状態は扉ｂが扉枠ａの中心へスライド移動した状態を示している。又、この状態では扉ｂは左右どちらへも開閉ができない。
【０００９】  図４に於いて、この状態は扉ｂが右側の蝶番ｃ３、ｃ４を回転中心として開放され、同時に左ガイドレールｅ１と左ガイドローラーｄ１によって回転軌跡を制限している状態を示している。
【００１０】  図５に於いて、この状態は蝶番ｃ１、ｃ２を立体表記したものであり、互いに同一構造の蝶番を向かい合わせ、蝶番ｃ１の保持軸ｉは蝶番ｃ２のＵ型溝形状カム板にかみ合い、蝶番ｃ１のＵ型溝形状カム板は蝶番ｃ２の保持軸ｉにかみ合うことを示している。
【００１１】  図６に於いて、この状態は蝶番ｃ１、ｃ２、ｃ３、ｃ４の正面図を示している。
【００１２】  図７に於いて、この状態は［図６］の断面イ−イを示したものであり、保持軸板ｆを持つことを示している。
【００１３】  図８に於いて、この状態は［図６］の断面ロ−ロを示したものであり、Ｕ型溝形状カム板ｈを持つことを示している。
【００１４】  図９に於いて、この状態は蝶番ｃ１の保持軸板ｆと蝶番ｃ２のＵ型溝形状カム板ｈが向き合う状態を示している。
【００１５】  図１０に於いて、この状態は蝶番ｃ１の保持軸板ｆと蝶番ｃ２のＵ型溝形状カム板ｈが咬み合う状態を示している。
【００１６】  図１１に於いて、この状態は蝶番ｃ１の保持軸板ｆと蝶番ｃ２のＵ型溝形状カム板ｈが咬み合い９０度回転した状態を示している。
【００１７】  図１２に於いて、この状態は蝶番ｃ１のＵ型溝形状カム板ｈと蝶番ｃ２の保持軸板ｆが向き合う状態を示している。
【００１８】  図１３に於いて、この状態は蝶番ｃ１のＵ型溝形状カム板ｈと蝶番ｃ２の保持軸板ｆが咬み合う状態を示している。
【００１９】  図１４に於いて、この状態は蝶番ｃ１のＵ型溝形状カム板ｈと蝶番ｃ２の保持軸板ｆが咬み合い９０度回転した状態を示している。
【００２０】  以上本考案の実施の形態について説明してきたが、本考案はこれに限定されることなく請求項の記載の範囲内において各種の変形、変更が可能なことは該当業者には自明であろう。
【考案の効果】
【００２１】  以上説明したように、本考案による開閉機構によれば、蝶番だけで左右両側の開閉が可能な扉構造を提供し、ガイドレールとガイドローラーにより扉の回転軌跡を制御することにより安全で確実な両開き構造を低コストで提供できうる。
扉左右の中央部であっても自由に複数の蝶番を取付できる為、強度的制限を不要とする。これにより重量の大きな扉であっても蝶番により充分な強度を持たせることが可能となる。
本考案の蝶番は扉の外側、内側のいずれも取付が可能な為、既存の扉に対し改造等の後付け工作さえも可能とするものである
【図面の簡単な説明】
【００２２】
【図１】本考案に関わる扉及び扉枠の形態としての正面図を示す。
【図２】本考案に関わる扉の右側開閉時の回転軌跡を示す。
【図３】本考案に関わる扉の閉時の状態を示す。
【図４】本考案に関わる扉の左側開閉時の回転軌跡を示す。
【図５】本考案に関わる蝶番の組合せを示す。
【図６】本考案に関わる蝶番の正面図を示す。
【図７】本考案に関わる［図６］の断面イ−イ示す。
【図８】本考案に関わる［図６］の断面ロ−ロ示す。
【図９】本考案に関わる蝶番の離脱時を示す。
【図１０】本考案に関わる蝶番の咬合時を示す。
【図１１】本考案に関わる蝶番の咬合回転時を示す。
【図１２】本考案に関わる蝶番の離脱時を示す。
【図１３】本考案に関わる蝶番の咬合時を示す。
【図１４】本考案に関わる蝶番の咬合回転時を示す。
【符号の説明】ａ    扉枠
ｂ    扉
ｃ１  蝶番
ｃ２  蝶番
ｃ３  蝶番
ｃ４  蝶番
ｄ１  ガイドローラー左
ｄ２  ガイドローラー右
ｅ１  ガイドレール左
ｅ２  ガイドレール右
ｆ    保持軸板
ｇ    保持軸板
ｈ    Ｕ型溝形状カム板
ｉ    保持軸
【図１】
0003166351.tif 000003
【図２】
0003166351.tif 000004
【図３】
0003166351.tif 000005
【図４】
0003166351.tif 000006
【図５】
0003166351.tif 000007
【図６】
0003166351.tif 000008
【図７】
0003166351.tif 000009
【図８】
0003166351.tif 000010
【図９】
0003166351.tif 000011
【図１０】
0003166351.tif 000012
【図１１】
0003166351.tif 000013
【図１２】
0003166351.tif 000014
【図１３】
0003166351.tif 000015
【図１４】
0003166351.tif 000016